(57)【要約】【課題】挿入口からの異物の侵入を防止できると同時に、挿入口へのメモリカードの着脱をこのメモリカードに無理な力をかけずに容易に実施できるＰＣカードを提供すること。【解決手段】挿入口３０が開口されたＰＣカード１の本体ケース３内に固定され、カードカバー６に係合するホルダ係合部４ａ、カードカバー６の先端部が当接する前係止部４ｂ及びカードカバー６の後端が当接する後係止部４ｃを設けたホルダ４と、挿入口３０を覆ったまま（メモリ）カード２を出し入れ可能に収納してホルダ４に進退可能に係合するカードカバー６とを備えた。カードカバー６によって挿入口３０を常時閉鎖状態に保持し、挿入口３０からの異物の侵入を防止すると共に、カードカバー６のスライド動作と回動動作によって（メモリ）カード２を容易に出し入れできるようにした。【選択図】        図３
2004206632.tif 000002
【特許請求の範囲】
【請求項１】
本体ケースの側面に薄板状のメモリカードを挿入するメモリカード挿入口が開口されるとともに、前記本体ケース内に前記メモリカード挿入口から挿入されたメモリカードの下面の接続端子に押圧接触して前記本体ケース内の回路と前記メモリカード内の回路とを電気的に接続する接続端子を装備えたＰＣカードであって、
前記メモリカードの上面を位置規制する本体の上壁と、前記メモリカードの下面を位置規制する底壁と、前記メモリカードの両側面を位置規制する側壁と、前記メモリカードの後端部側を回動可能とする回動部と、前記メモリカード挿入口を塞いだ状態のまま前記メモリカードを本体ケース内部に収容する操作部とを設けたメモリカードカバーと、
このメモリカードが挿入方向に沿って進退可能となるように前記メモリカードカバーの側縁部に係合するホルダ係合部と、前記メモリカードカバーの前端部に当接するメモリカードカバー前係止部と、前記メモリカードカバーの後端部に当接するメモリカードカバー後係止部とを設け、前記本体ケース内に固定される略薄皿状のメモリカードホルダと
を備え、
前記メモリカードカバーのスライド操作によって前記メモリカードを前記本体ケースに対し着脱可能に構成したことを特徴とするＰＣカード。
【請求項２】
前記メモリカードカバーを閉じた状態にして前記メモリカード挿入口からその奥部に前記メモリカードカバーをスライドさせる際に、スライド量が所定長に達すると、前記メモリカードホルダに設けた前記後係止部の弾性係止片が前記メモリカードカバーの本体に設けた孔に押圧係合して、前記メモリカードカバーの前記奥部方向へのスライド移動を規制するように構成したことを特徴とする請求項１記載のＰＣカード。
【請求項３】
前記メモリカードカバーは、前記メモリカードホルダの前端側からこのメモリカードホルダにスライドさせるため前記メモリカードホルダに設けた前記ホルダ係合部に係合させる側縁部を備えるとともに、前記メモリカードホルダに設けたストッパーによって前記奥部方向へのスライド動作を規制するように構成したことを特徴とする請求項１又は２に記載のＰＣカード。
【請求項４】
前記メモリカードカバーを前記メモリカード挿入口側に引き出して、前記メモリカードカバーの側縁部と前記ホルダ係合部との係合を解除すると、前記メモリカードカバーの後部に設けた凸部が前記メモリカードホルダの前記前係止部に回動自在に係合するように構成したことを特徴とする請求項１乃至請求項３の何れか１項に記載のＰＣカード。
【請求項５】
前記メモリカードカバー内に収納・装着した前記メモリカードを取り出す為に、前記メモリカード下面の上部左右の側面に対応した上記メモリカードカバーの側壁を一部切削して形成したつまみ部を有し、
前記メモリカードの上部左右の側面に指が掛かるように構成したことを特徴とする請求項１乃至請求項４の何れか１項に記載のＰＣカード。
【請求項６】
前記メモリカードカバーの後部に設けた前記凸部は、前記メモリカードカバーを前記メモリカード挿入口側に引き出すと、相対する前記メモリカードホルダの底壁の前記前係止部に突当りスライド動作が規制される弾性係止片で構成したことを特徴とする請求項４に記載のＰＣカード。
【請求項７】
前記メモリカードカバーの弾性係止片は、前記メモリカードカバーにスライド範囲が規制される位置を越えて前記メモリカード挿入口側に引き出すような一定値を越える引出し力を作用させると、弾性変形して相対する前記メモリカードホルダの底壁の前記前係止部を乗り越えることで、前記メモリカードカバーを前記メモリカードホルダから離脱・分離するように構成したことを特徴とする請求項６に記載のＰＣカード。
【発明の詳細な説明】
【０００１】
【発明の属する技術分野】
本発明は、メモリカード挿入口から挿入したメモリカードの接触端子と押圧接触してこのメモリカードと電気的に接続する接続端子が設けられたＰＣカードに関するものである。
【０００２】
【従来の技術】
ＰＣＭＣＩＡ（Personal Computer Memory Card International Association）規格に準拠した本体ケースの側面に薄板状のＳＩＭカード（Subscriber Identity Module card）、ＵＳＩＭカード（Universal Subscriber Identity Module card(日本国内では、ＵＩＭカード（User Identity Module card）)等のメモリカードを挿入するメモリカード挿入口を開口するとともに、本体ケース内に前記メモリカード挿入口から挿入されたメモリカードの接触端子に押圧接触して本体ケース内の回路とメモリカード内の回路とを電気的に接続する接続端子を設けたＰＣカードが知られている。
【０００３】
ところで、このようなＰＣカードにあっては、例えばＳＩＭカードの挿入口から異物の侵入を防止できると同時に、この挿入口へのＳＩＭカードの着脱をＳＩＭカードに無理な力をかけずに実現できる構成のものが知られている。
【０００４】
即ち、例えばこのような構成のＰＣカードとしては、図１３に示すように、本体ケースの側面に、ＳＩＭカード用の挿入口（以下、ＳＩＭカード挿入口とよぶ）１１０が開設されるＰＣＭＣＩＡ規格準拠のＰＣカード１００において、本体ケース内に固定されてＳＩＭカード挿入口１１０から挿入されるＳＩＭカード２００の下面２０１を位置規制する略薄皿状のＳＩＭホルダ１２０と、ＳＩＭカード２００の挿入方向に沿って進退可能にＳＩＭホルダ１２０に係合してＳＩＭカード２００の後縁２０３及び上面２０２を位置規制するＳＩＭイジェクタ１３０と、ＳＩＭイジェクタ１３０の前端にヒンジ結合されて、ＳＩＭカード挿入口１１０を開閉可能に覆うと共に、ＳＩＭカード挿入口１１０に挿入されたＳＩＭカード２００の基端側上面２０２を位置規制するＳＩＭカバー１４０とを備えている。
【０００５】
このＰＣカード１００においては、ＳＩＭカバー１４０によってＳＩＭカード挿入口１１０からの異物の侵入を防止すると共に、ＳＩＭカバー１４０を介したＳＩＭイジェクタ１３０のスライド動作によって、ＳＩＭカード２００の排出を可能にしている。
【０００６】
【発明が解決しようとする課題】
しかしながら、前述したＳＩＭカード２００が装着される従来のＰＣカード１００にあっては、ＳＩＭカード２００を挿入する時に、ＰＣカード１００内において、図示外の接続端子の押圧作用によりＳＩＭカード２００が上に押し上げられるようになっているが、これと同期して、このＳＩＭカード２００がＳＩＭイジェクタ１３０の上壁１３１に密着する。このため、ＳＩＭイジェクタ１３０と連設したＳＩＭカバー１４０が一緒にＳＩＭカード挿入口１１０より奥に入ってしまうという問題がある。
【０００７】
ところで、メモリカードを装着するＰＣカードでは、一般に、カードスロットの開口部から装着本体内への異物の侵入を防止することと、メモリカードの着脱を容易にしてメモリカードを排出することについて、材料コスト、組み立て性、信頼性等をさらに改善する要望があった。
【０００８】
また、通常、このメモリカードは、ＰＣカードのカード挿入口から挿入する際に、単独で剥き出し状態のまま挿入されるため、挿入する際の押込力でメモリカードの一部などに無理な力が作用し、このメモリカードやこれを挿入するＰＣカードに破損・破壊などをもたらし易かった。
【０００９】
本発明は、かかる点に鑑みてなされたものであり、メモリカード挿入口からの異物の侵入を防止できるとともに、メモリカードの着脱をメモリカードに無理な力をかけずに容易に行うことができ、しかも、材料のコスト削減や信頼性を向上させることができるばかりか、組み立て性、操作性も向上させることができるＰＣカードを提供することを目的とする。
【００１０】
【課題を解決するための手段】
上記目的を達成するため、本発明に係るＰＣカードは、本体ケースの側面に薄板状のメモリカードを挿入するメモリカード挿入口が開口されるとともに、前記本体ケース内に前記メモリカード挿入口から挿入されたメモリカードの下面の接続端子に押圧接触して前記本体ケース内の回路と前記メモリカード内の回路とを電気的に接続する接続端子を装備えたＰＣカードであって、
前記メモリカードの上面を位置規制する本体の上壁と、前記メモリカードの下面を位置規制する底壁と、前記メモリカードの両側面を位置規制する側壁と、前記メモリカードの後端部側を回動可能とする回動部と、前記メモリカード挿入口を塞いだ状態のまま前記メモリカードを本体ケース内部に収容する操作部とを設けたメモリカードカバーと、
このメモリカードが挿入方向に沿って進退可能となるように前記メモリカードカバーの側縁部に係合するホルダ係合部と、前記メモリカードカバーの前端部に当接するメモリカードカバー前係止部と、前記メモリカードカバーの後端部に当接するメモリカードカバー後係止部とを設け、前記本体ケース内に固定される略薄皿状のメモリカードホルダと
を備え、
前記メモリカードカバーのスライド操作によって前記メモリカードを前記本体ケースに対し着脱可能に構成したことを特徴とするものである。
【００１１】
この構成によれば、メモリカードカバーがメモリカード挿入口を開閉する構成で、メモリカード挿入口が常時開放状態にならない為、メモリカード挿入口からの異物の侵入を防止できる。
また、このメモリカードカバーは、メモリカードホルダ上を進退させることができ、メモリカードホルダ上のメモリカードを装着したメモリカードカバーが、メモリカード挿入口側へスライド動作し、さらにメモリカードを装着したメモリカードカバーを例えばメモリカードの後端部側で回動動作できる。
【００１２】
即ち、メモリカードをメモリカバーから引き抜く場合は、メモリカードカバーを進出させ、スライド動作と回動動作によって、メモリカードを掴みやすい位置及び姿勢のところまで移動させることができる。一方、メモリカードをメモリカードカバーに装着する場合には、メモリカードの後端部側からメモリカードカバーの本体の上壁と底壁及び側壁に囲まれた凹部に入れ、メモリカードカバーを閉じた状態にしてメモリカード挿入口から奥部に退出させる。従って、直接手指等をメモリカードに引掛けて、メモリカードを無理に引出したり、あるいは、メモリカードを無理に押し込むことがなくなり、メモリカード挿入口でのメモリカードの着脱をメモリカードに無理な力をかけずに容易に実現することができる。
【００１３】
本発明のＰＣカードは、前記メモリカードカバーを閉じた状態にして前記メモリカード挿入口からその奥部に前記メモリカードカバーをスライドさせる際に、スライド量が所定長に達すると、前記メモリカードホルダに設けた前記後係止部の弾性係止片が前記メモリカードカバーの本体に設けた孔に押圧係合して、前記メモリカードカバーの前記奥部方向へのスライド移動を規制するように構成してもよい。
【００１４】
この構成によれば、メモリカードを装着する際のメモリカードカバーの操作は、メモリカードを装着後に閉じる回動操作と、閉じた後に押し込むスライド操作の２アクション操作となるが、押し込んだメモリカードカバーは、メモリカードホルダの弾性係止片とメモリカードカバーの本体に設けた孔に押圧係合されて、しっかりとロックされることになり、外力の作用によって不用意にメモリカードカバーが開いて脱落することを防止できる。
【００１５】
本発明のＰＣカードは、前記メモリカードカバーは、前記メモリカードホルダの前端側からこのメモリカードホルダにスライドさせるため前記メモリカードホルダに設けた前記ホルダ係合部に係合させる側縁部を備えるとともに、前記メモリカードホルダに設けたストッパーによって前記奥部方向へのスライド動作を規制するように構成してもよい。
【００１６】
この構成によれば、単純な嵌合操作で、メモリカードホルダにメモリカードカバーを組み付けることができ、しかも２部品の構成となり、組み立て性を向上し、材料コストも削減できる。
【００１７】
本発明のＰＣカードは、前記メモリカードカバーを前記メモリカード挿入口側に引き出して、前記メモリカードカバーの側縁部と前記ホルダ係合部との係合を解除すると、前記メモリカードカバーの後部に設けた凸部が前記メモリカードホルダの前記前係止部に回動自在に係合するように構成してもよい。
【００１８】
この構成によれば、スライド操作と回動操作の２アクションにより、前記メモリカードの排出操作が容易にできる。
【００１９】
また、この構成にすると、メモリカバーをメモリカード挿入口側に引き出して、メモリカバーの側縁部と、ホルダ係合部との係合を解除し、メモリカバーの後部に設けた凸部とメモリホルダのホルダ係合部が回動自在に連結されている構成で、メモリカードの排出操作が容易にでき、操作性を向上させることができる。
【００２０】
本発明のＰＣカードは、前記メモリカードカバー内に収納・装着した前記メモリカードを取り出す為に、前記メモリカード下面の上部左右の側面に対応した上記メモリカードカバーの側壁を一部切削して形成したつまみ部を有し、
前記メモリカードの上部左右の側面に指が掛かるように構成するのが好ましい。
【００２１】
この構成によれば、前記メモリカードが装着されたメモリカードカバー内よりメモリカードを取り出す為に、つまみ部を手がかりにして無理な力をかけずに容易に取り出すことができる。
【００２２】
本発明のＰＣカードは、前記メモリカードカバーの後部に設けた前記凸部は、前記メモリカードカバーを前記メモリカード挿入口側に引き出すと、相対する前記メモリカードホルダの底壁の前記前係止部に突当りスライド動作が規制される弾性係止片で構成するのが好ましい。
【００２３】
この構成によれば、メモリカードカバーをメモリカード挿入口側に引き出すとスライド範囲が規制され、次にメモリカードカバーの回転動作が促される。
しかも、これと同時に、メモリカバーの脱落を防止できる。
【００２４】
本発明のＰＣカードは、前記メモリカードカバーの弾性係止片は、前記メモリカードカバーにスライド範囲が規制される位置を越えて前記メモリカード挿入口側に引き出すような一定値を越える引出し力を作用させると、弾性変形して相対する前記メモリカードホルダの底壁の前記前係止部を乗り越えることで、前記メモリカードカバーを前記メモリカードホルダから離脱・分離させるように構成してもよい。
【００２５】
この構成によれば、メモリカードカバーをメモリカード挿入口側に引き出して、さらに無理な引張力が作用した場合には、メモリカードカバーの弾性係止片が弾性変形し、メモリカードホルダとの係合状態が外れることで、メモリカードカバーやメモリカードホルダの破損を回避することができる。
【００２６】
【発明の実施の形態】
以下、この発明の一実施の形態について添付図面を参照しながら詳細に説明する。
図１乃至図１２は本発明に係るＰＣカードの一実施の形態を示したものであり、図１（Ａ）は本発明の一実施の形態に係るＰＣカードの上面図、（Ｂ）は（Ａ）に示したＰＣカードの右側面図、図２は図１（Ａ）に示したＰＣカード内に装備される回路基板とＳＩＭカードとの位置関係を示す平面図、図３は図９に示したＳＩＭホルダとＳＩＭカバーを分解した状態の斜視図、図４はＰＣカードの本体ケース内の樹脂フレームにＳＩＭホルダ及びＳＩＭカバーを取り付けた状態の斜視図、図５は図２の回路基板の接続端子部の拡大図、図６は回路基板とＳＩＭホルダとの位置決め関係を示す斜視図である。図７はＳＩＭホルダとＳＩＭカバーとの組み付け手順を示す斜視図、図８は図１（Ａ）に示したＰＣカードにおいてＳＩＭカバーを引き出してさらに回動動作を示す断面図、図９は図４に示した状態から、ＳＩＭカバーを引き出した状態の斜視図、図１０は図９に示した状態から、ＳＩＭカバーを開いて、凹部にＳＩＭカードを挿入する時の状態を示す斜視図、図１１はＳＩＭカバーを開いた状態から凹部にＳＩＭカードを挿入した時の状態を示す斜視図、図１２はＳＩＭカバーを開いた状態の要部の拡大斜視図である。
【００２７】
この実施の形態のＰＣカード１は、ＰＣＭＣＩＡ（Personal Computer MemoryCard International Association）規格準拠の図示外のＰＣ（パーソナルコンピュータ）のＰＣカード用スロットに挿入・装着される送受信端末として使用されるものであり、図１（Ａ）及び（Ｂ）に示すＰＣＭＣＩＡ規格準拠の本体ケース３を備えており、図２に示すメモリカードの一種であるＳＩＭ（Subscriber Identity Module card）カード２を挿入・固定して使用するようになっている。
【００２８】
本体ケース３は、図１及び図２に示すように、大略構成として、前述した回路基板９を装着する枠構造の樹脂フレーム３１（図２参照）と、この樹脂フレーム３１に装着された回路基板９の上下面を覆うように樹脂フレーム３１に組み付けられる板金製の上下外壁材３３（図１参照）とで形成されている。
【００２９】
また、この本体ケース３には、図１（Ａ）及び（Ｂ）に示すように、この側面に薄板状のＳＩＭカード２を収めた後述のＳＩＭカバー６を挿入するための挿入口（以下、これをＳＩＭカバー挿入口とよぶ）３０が開設されている。また、本体ケース３の先端には、本体ケース３内に収容した回路基板９を図示外のＰＣ側に設けたＰＣカード用スロットに臨んで設けた所定の回路（いずれも図示せず）に導通・接続する為のコネクタ接続端子９ｂ（図１参照）が露出している。
【００３０】
即ち、本体ケース３内には、図２に示すように、前述のＳＩＭカバー挿入口３０から挿入されたＳＩＭカード２の下面２ｆの接触端子２ａ（図２参照）に押圧接触して本体ケース３内の回路基板９上の回路とＳＩＭカード２内の回路とを電気的に接続する接続端子９ａが装備されており、図１（Ａ）において、図示外のＰＣ側のＰＣカード用スロットに向けてＸ方向に挿入させるようになっている。
【００３１】
樹脂フレーム３１は、図３に示すように、ＰＣカード１の本体ケース３の両側部に延在する一対の主フレーム３１ａ、３１ｂと、これらの主フレーム３１ａ、３１ｂ相互を連結する副フレーム３１ｃ、３１ｄなどとを絶縁性樹脂で一体成形した構造用フレームで形成されており、前述した回路基板９や外壁材３３を締結する為の雌ねじ部材（図略）が適宣個所にインサート成形によって埋設されて装備されている。また、図３に示すように、一方の主フレーム３１ａのＳＩＭカバー挿入口３０に対応する位置には、後述するＳＩＭカバー６をスライド可能に位置規制するための一対のカバー支柱３５ａ、３５ｂが設けられている。
【００３２】
さらに、本体ケース３には、図３に示すように、ＳＩＭカード２を着脱可能に支持する為の手段（部材）として、その本体ケース３に組付けて固定されたＳＩＭホルダ４と、このＳＩＭホルダ４にスライド自在に搭載されて本体ケース３から外部へ向けて引き出し可能なＳＩＭカバー６とを備えている。なお、これらのＳＩＭホルダ４、ＳＩＭカバー６は、何れも絶縁性樹脂による一体成形品である。
【００３３】
このうち、ＳＩＭホルダ４は、図３に示すように、側壁部４３の内面に設けたＳＩＭカバー６の側縁部６０ａに係合するホルダ係合部４ａと、ＳＩＭカード２の前縁（先端）２ｂ（図２参照）に当接する前係止部４ｂ（図３参照）と、ＳＩＭカード２の後縁（後端）２ｃ（図２参照）に当接する後係止部４ｃと、底壁４１とを備えた略薄皿状のもので構成されている。
【００３４】
そして、底壁４１には、図５及び図６に示すように、この底壁４１の裏面（図６において上面）から下方（図６において上方）に向かって突出して回路基板９に形成されたホルダ位置決め孔９ｃ、９ｄに嵌合する位置決め突起４１ａ、４１ｂが一体に形成されている。また、この底壁４１の裏面の前端（図６では手前側）及び後端（図６では奥側）には、それぞれ、回路基板９の側面縁部及び回路基板９に１対穿設した係合孔９ｅに係止・係合する各１対の突起４２ａ，４２ｂが形成されている。
【００３５】
これにより、このＳＩＭホルダ４は、樹脂フレーム３１に固定された回路基板９上に載置した時に、図６に示す（但し、この図６では上下逆さまに示してある）ように、一対の突起４２ａ、４２ｂを回路基板９の側面縁部などに当接させると共に、位置決め突起４１ａ、４１ｂをホルダ位置決め孔９ｃ、９ｄに嵌合させることで、ＳＩＭカバー挿入口３０において予め設定された基準位置に位置決め固定されるようになっている。
【００３６】
更に、ＳＩＭホルダ４の底壁４１には、図３に示すように、端子接続用開口４１ｃが形成されている。この端子接続用開口４１ｃは、ＳＩＭカバー６を介して（収容されて）ＳＩＭホルダ４に装着されたＳＩＭカード２の下面２ｆの接触端子２ａ（図２及び図１０参照）を、この直下に位置する回路基板９上の接続端子９ａ（図５参照）に押圧接触させるためのものである。
【００３７】
また、ＳＩＭホルダ４の底壁４１の後縁部側には、図３に示すように、後係止部４ｃに弾性係止片４７が突設されている。この弾性係止片４７は、前端寄りに係合用の爪４７ａを形成しており、ＳＩＭカバー６を閉じた状態にしてＳＩＭカバー挿入口３０からＳＩＭホルダ４の奥部側にスライド挿入させた際、スライド量が所定長に達すると、前述の係合用の爪４７ａが後述するＳＩＭカバー６の本体６ａ（の後端）に設けた孔６４に弾性的に押し入り固定される。これにより、その後のＳＩＭカバー６の奥部方向へのスライド移動を規制することにより、スライド動作を一定のストロークに規制するようになっている。
【００３８】
また、後係止部４ｃには、図３に示すように、弾性係止片４７を挟む両側にＳＩＭカバー６の奥部方向へのスライド前進動作を阻止するためのストッパー４８も形成されている。
【００３９】
一方、ＳＩＭカバー６は、下面側にＳＩＭカード２を着脱自在に収納させて本体ケース３に対し引き出し自在になっている。またこのＳＩＭカバー６は、図３、図１０及び図１１に示すように、ＳＩＭカード２の上面２ｅを位置決めするための凹部６０ｂを設けた本体６ａと、ホルダ係合部４ａとの係合を行うために本体６ａの裏面６０に設けた側縁部６０ａと、ＳＩＭカード２の下面２ｆを位置規制するための底壁（ガイド壁）６２（図１０及び図１１参照）と、ＳＩＭカード２の側面２ｄを位置規制するために凹部６０ｂの段差面からなる側壁６３（図１０参照）と、後部両端に設けた回動部６５（図３参照）と、ＳＩＭカバー６をＳＩＭカバー挿入口３０付近で進退操作する際に手や指を係止する操作部６６とを備えている。
【００４０】
ＳＩＭカバー６の本体６ａには、図１０及び図１１に示すように、裏面（下面；これを本体６ａの上壁とよぶ）６０にＳＩＭカード２を収容する前述の凹部６０ｂが形成されており、この凹部６０ｂには、ＳＩＭカード２の誤挿入防止用の面取り部２ｇ（図２参照）に対応して、斜面部６０ｃ（図１１参照）が形成されている。従って、ＳＩＭカード２に、例えば左右を逆にした状態で挿入する誤挿入があった場合には、ＳＩＭカード２の前縁（先端）２ｂの角隅部が凹部６０ｂの斜面部６０ｃに当接することで、完全な挿入（閉鎖）状態にならず、ＳＩＭカード２誤挿入の検知手段として機能するようになっている。
【００４１】
ＳＩＭカバー６の側壁６３には、図３及び図９、図１０に示すように、ＳＩＭカバー６内に装着したＳＩＭカード２を取り出す為に、ＳＩＭカード２の左右の側面２ｄに臨む一部を削除して（切欠いて）つまみ部６３ａを形成しており、ＳＩＭカード２の取出しの際などに下面２ｆの上部左右の側面２ｄに指が引掛かるように構成している。
【００４２】
回動部６５には、図３に示すように、ガイド機能を持たせる為、後端側へ突出させた凸部６５ａを設けている。なお、操作部６６は、表面に滑り止めの凸部６６ａ（図３参照）が形成されたもので構成されている。
【００４３】
（ＳＩＭカバー６の組付け方法）
次に、ＳＩＭカバー６のＳＩＭホルダ４へ組み付ける方法について、図面を参照しながら説明する。なお、ここで、このＳＩＭカバー６のＳＩＭホルダ４への組み付けは、図７の（Ａ）〜（Ｃ）に示す手順に沿って行うようになっている。
【００４４】
（１）即ち、初めに、同図（Ａ）に示すように、ＳＩＭホルダ４の前端（ＳＩＭカバー挿入口３０）側から、Ａ方向（図９においてＢ方向とは逆のＳＩＭホルダ４の奥部方向）に向けてＳＩＭカバー６の回動部６５の後部に設けた凸部６５ａ（図３参照）をそれぞれカバー支柱３５ａ、３５ｂの内面に挿入してスライドさせる。
【００４５】
（２）これにより、同図（Ｂ）に示すように、ＳＩＭカバー６の本体６ａに配置した弾性係止片６１ａが弾性変形し、この弾性形止片６１ａの先端の凸部６１ｂが、ＳＩＭホルダ４の底壁４１の前係止部４ｂの凸状部分の上に乗り上げる。
【００４６】
（３）そして、同図（Ｃ）に示すように、弾性係止片６１ａの先端の凸部６１ｂが前係止部４ｂの凸状部分を完全に乗り越えると、弾性変形が消失して元の形状に戻るので、その前係止部４ｂの凸状部分がストッパとなり外部への抜け落ちが防止され、ＳＩＭホルダ４上でのＳＩＭカバー６のスライド動作が規制されることになる。これにより、このままＳＩＭカバー６をＳＩＭホルダ４の奥部へスライド移動させると、後係止部４ｃに設けたストッパー４８に突き当たるまでスライド動作を行うことができる。
【００４７】
（ＳＩＭカード２の出入れ方法）
次に、ＳＩＭホルダ４へスライド自在に組み付けたＳＩＭカバー６によるＳＩＭカード２の出入れ方法について、図８乃至図１２を参照しながら説明する。
（１）ＳＩＭカバー６がＳＩＭホルダ４奥部まで収納されている場合には、初めに、図８（Ａ）及び図９の状態まで引き出す。
（２）次に、図８（Ａ）乃至（Ｃ）（さらに、図９及び図１０）に示すようにして、ＳＩＭカバー６の回動動作を行う。
即ち、この回動動作は、初めに図８（Ａ）、（Ｂ）に示すように、弾性形止片６１ａの先端の凸部６１ｂがＳＩＭホルダ４の底壁４１の前係止部４ｂの凸状部分に当接した状態で、この凸部６１ｂを回動中心として行う。
次に、図８（Ｃ）及び図１０、図１２に示すように、カバー支柱３５ａ、３５ｂの内面をスライドする回動部６５の凸部６５ａを回動中心（軸）としてＳＩＭカバー６を反転させ、裏面（下面）が上向きになるようにする。
（３）その後、図１０に示すＳＩＭカバー６の反転状態のままで、図１１に示すように、ＳＩＭカード２を後縁（後端）２Ｃから奥部６０ｂに差し込んで挿入・装着させる。これにより、ＳＩＭカード２をＳＩＭカバー６に挿入装着させることができる。
（４）最後に、前述のＳＩＭカバー６を引き出す時の操作と逆の操作を行って、ＳＩＭカード２をＳＩＭカバー６ごとＳＩＭホルダ４奥部に押し込めば、ＳＩＭカード２をＳＩＭカード２の本体ケース３へ収納・装着させることができる。
【００４８】
この実施の形態では、ＳＩＭカバー６内に装着したＳＩＭカード２を取り出す為に、ＳＩＭカード２の下面２ｆの上部左右の側面２ｄに対応したＳＩＭカバー６の側壁６３を一部削除して、つまみ部６３ａを形成し、ＳＩＭカード２の下面２ｆの上部左右の側面２ｄに指が引掛かるようにしている。従って、ＳＩＭカード２の着脱をＳＩＭカード２に無理な力をかけずに容易に実施でき、ＳＩＭカード２の着脱時の取り扱い性を向上させることができる。
【００４９】
また、この実施の形態のＰＣカード１は、ＳＩＭカバー６がＳＩＭカバー挿入口３０を開閉する構成であり、ＳＩＭカバー挿入口３０が常時開放状態にならない為、ＳＩＭカバー挿入口３０からの異物の侵入を防止できる。
【００５０】
また、この実施の形態のＰＣカード１によれば、ＳＩＭカバー６は、ＳＩＭホルダ４上で進退させることができる。つまり、ＳＩＭホルダ４上のＳＩＭカード２を装着したＳＩＭカバー６を、図９に示すように、ＳＩＭカバー挿入口３０へスライド動作し、さらにＳＩＭカード２を装着したＳＩＭカバー６を、図１０に示すように、ＳＩＭカード２の後端部側で回動動作できる。即ち、ＳＩＭカード２をＳＩＭカバー６から引き抜いて取出す場合は、ＳＩＭカバー６をスライド動作させて前進させ、さらにこの前進動作の後に行う回動動作によって、ＳＩＭカード２を掴みやすい位置及び姿勢まで移動・変形させることができる。
【００５１】
逆に、ＳＩＭカード２をＳＩＭカバー６に装着する場合には、図１０に示すように、ＳＩＭカバー６でＳＩＭカバー挿入口３０を閉じた状態にしたまま、つまり外部からメモリカード挿入口への異物の侵入を防止しつつ、ＳＩＭカード２を後縁（後端）２ｃ側からＳＩＭカバー６の本体６ａと底壁（ガイド壁）６２及び側壁６３に囲まれた凹部６０ｂに差し込んで挿入し、その後、ＳＩＭカバー挿入口３０の奥部にセットするようになっている。これにより、ＳＩＭカバー挿入口３０からの異物の侵入によって故障を招く危険度を低減して、ＰＣカード１の寿命や動作信頼性を向上させることができる。
【００５２】
また、この実施の形態のＰＣカード１は、ＳＩＭカード２に直接手や指等を引掛けて、無理に引出したり、あるいは、無理に押し込むことが無くなり、ＳＩＭカバー挿入口３０へのＳＩＭカード２の着脱をＳＩＭカード２に無理な力をかけずに容易に実施できる。
【００５３】
また、本実施の形態の場合、ＳＩＭカード２を装着する際のＳＩＭカバー６の操作は、ＳＩＭカード２を装着後にＳＩＭカバー６を閉じる回動操作と、ＳＩＭカバー６を閉じた後にそのＳＩＭカバー６を押し込むスライド操作との２アクション操作となる。
このようにして押し込んだＳＩＭカバー６は、ＳＩＭホルダ４の弾性係止片４７がＳＩＭカバー６の本体６ａに設けた孔６４に入り込んで係合され、しっかりとロックされることになり、外力の作用によってＳＩＭカバー６が不用意に開くことを防止できる。
【００５４】
また、本実施の形態の場合、ＳＩＭカバー６は、ＳＩＭホルダ４の前端側からこのＳＩＭホルダ４にスライド嵌合させ、ホルダ係合部４ａに係合し、係合後は、ＳＩＭホルダ４に装備されたストッパー４８とＳＩＭカード２の前係止部４ｂとによってスライド範囲が規制される構成であるため、単純な作業で、ＳＩＭホルダ４にＳＩＭカバー６を組み付けることができる。
【００５５】
また、本実施の形態の場合、図９において、ＳＩＭカバー６をＳＩＭカバー挿入口３０側に引き出して、ＳＩＭカバー６の側縁部６０ａとホルダ係合部４ａとの係合を解除すると、図１２に示すように、ＳＩＭカバー６の後部に設けた凸部６５ａとＳＩＭホルダ４のホルダ係合部４ａが回動自在に連結されている状態となるので、ＳＩＭカード２の排出操作が容易にできる。
【００５６】
また、本実施の形態の場合、図３に示すように、ＳＩＭカバー６の凹部６０ｂ内に装着したＳＩＭカード２を取り出す為に、ＳＩＭカード２の下面２ｆの上部左右の側面２ｄに対応したＳＩＭカバー６の側壁６３を一部削除して、つまみ部６３ａを形成している。即ち、ＳＩＭカード２の下面２ｆの上部左右の側面２ｄに指が引掛かるようにした構成であり、ＳＩＭカード２が装着されたＳＩＭカバー６の凹部６０ｂ内よりＳＩＭカード２に無理な力をかけずに容易に取り出すことができる。
【００５７】
また、本実施の形態の場合、ＳＩＭカバー６をＳＩＭカバー挿入口３０側に引き出すと、ＳＩＭカバー６の本体６ａの後部に配置した弾性係止片６１ａの先端の凸部６１ｂが、相対するＳＩＭホルダ４の底壁４１の前係止部４ｂの凸状部分に係止することによりスライド動作が規制され、最奥部移動位置となる構成である。
一方、ＳＩＭカバー６をＳＩＭカバー挿入口３０側に引き出すと、弾性係止片６１ａの先端の凸部６１ｂがＳＩＭホルダ４の底壁４１の前係止部４ｂに係止することにより、スライド動作が規制され、最前部移動位置となる。そして、ここで、次に前係止部４ｂの凸状部分の斜面に沿ってＳＩＭカバー６の回転動作を促すことができる。
【００５８】
また、本実施の形態の場合、ＳＩＭカバー６をＳＩＭカバー挿入口３０側に引き出して、さらに無理な引張力が作用した場合には、ＳＩＭカバー６の弾性係止片６１ａが弾性変形し、ＳＩＭホルダ４の底壁４１の前係止部４ｂとの嵌接状態が外れることで、ＳＩＭカバー６やＳＩＭホルダ４の破損を回避することができる。
【００５９】
以上、この実施形態では、ＰＣカード１に挿入固定されるメモリカードの一例として、ＳＩＭカード２を利用した場合について説明したが、本発明はメモリカードがこのＳＩＭカード２に限定されることはなく、ＵＩＭカード、ＵＳＩＭカード等の小型、薄型メモリカードであれば適用可能である。
【００６０】
【発明の効果】
本発明のＰＣカードによれば、メモリカードカバーがメモリカード挿入口を開閉する構成で、しかもこのメモリカード挿入口がメモリカードの出し入れの際にも常時閉鎖状態（開放状態にならない）となっており、メモリカード挿入口からの異物の侵入を防止できる。従って、メモリカード挿入口からの異物の侵入によって、故障を招く危険度を低減して、ＰＣカードの寿命や動作信頼性を向上させることができる。
【００６１】
また、本発明のＰＣカードによれば、メモリカードカバーは、メモリカードホルダ上を進退させることができ、メモリカード挿入口への進出動作で、メモリカードホルダ上のメモリカードを装着したメモリカードカバーが、メモリカード挿入口へスライド動作し、さらにメモリカードを装着したメモリカードカバーをメモリカードの後端部側で回動動作できる。つまり、メモリカードをメモリカードカバーから引き抜く場合は、メモリカードカバーを進出させ、スライド動作と回動動作によって、メモリカードを掴みやすい位置まで移動させることができる。
【００６２】
また、メモリカードをメモリカードカバーに装着する場合には、メモリカードの後端部側からメモリカードカバーの本体の上壁と底壁及び側壁に囲まれた凹部に差し入れ、メモリカードカバーを閉じた状態にしてメモリカード挿入口の奥部にスライドさせて収める。従って、直接手や指等を引掛けて、メモリカードを無理に引出したり、あるいは、無理に押し込むことがなくなり、メモリカード挿入口へのメモリカードの着脱をメモリカードに無理な力をかけずに容易に実施でき、メモリカードの着脱時の取り扱い性を向上させることができる。
【００６３】
さらに、本発明のＰＣカードによれば、メモリカード挿入口に装着されたメモリカードは、メモリカードカバーによって覆われて保護されているため、携帯時等にメモリカードに外力が作用することがなく、外力の作用によってメモリカードが破壊・破損したり、抜け落ちる等の不都合が発生するのを防止することもできる。
【図面の簡単な説明】
【図１】本発明に係るＰＣカードの一実施の形態を示すものであり、（Ａ）はこの平面図、（Ｂ）は（Ａ）に示したＰＣカードの側面図である。
【図２】図１（Ａ）に示した本発明に係るＰＣカード内に装備される回路基板と、ＳＩＭカードとの位置関係を示す平面図である。
【図３】本発明の一実施の形態に係るＰＣカードにおけるＳＩＭホルダとＳＩＭカバーを分解した状態の斜視図である。
【図４】本発明の一実施の形態に係るＰＣカードの本体ケース内に、ＳＩＭホルダ及びＳＩＭカバーを取り付けた状態の斜視図である。
【図５】本発明の一実施の形態に係るＰＣカードの回路基板の接続端子部の拡大図である。
【図６】本発明の一実施の形態に係るＰＣカードの回路基板とＳＩＭホルダとの位置決め関係を示す斜視図である。
【図７】（Ａ）乃至（Ｃ）は、本発明の一実施の形態に係るＰＣカードのＳＩＭホルダとＳＩＭカバーとの組み付け手順を示す工程図である。
【図８】Ａ）乃至（Ｃ）は、図１に示した本発明の一実施の形態に係るＰＣカードにおいて、ＳＩＭカバーを引き出してＳＩＭカードを装着するときの操作の際のＳＩＭカバーの回動動作を示す説明図である。
【図９】図１に示した本発明の一実施の形態に係るＰＣカードにおいてＳＩＭカバーを引き出してＳＩＭカードを装着するために、ＳＩＭカバーを引き出した状態の斜視図である。
【図１０】図１に示した本発明の一実施の形態に係るＰＣカードにおいてＳＩＭカバーを引き出してＳＩＭカードを装着するために、ＳＩＭカバーを回動させて表裏反転させて、凹部にＳＩＭカードを挿入する時の状態を示す斜視図である。
【図１１】図１に示した本発明の一実施の形態に係るＰＣカードにおいてＳＩＭカバーを引き出してＳＩＭカードを装着するために、ＳＩＭカバーを回動させて表裏反転させて凹部にＳＩＭカードを挿入した時の状態を示す斜視図である。
【図１２】図１１に示すＳＩＭカバーを回動させて表裏反転させて開いた状態の拡大斜視図である。
【図１３】従来の一実施例のＳＩＭカバーを開いて、開口したＳＩＭカバー挿入口にＳＩＭカードを挿入する時の状態を示す斜視図である。
【符号の説明】
１        ＰＣカード
２        ＳＩＭカード（メモリカード）
２ａ      接触端子
２ｂ      前縁（先端）
２ｃ      後縁（後端）
２ｄ      側面
２ｅ      上面
２ｆ      下面
２ｇ      面取り部
３        本体ケース
３０      ＳＩＭカバー挿入口
３３      外壁材
３５ａ    カバー支柱
３５ｂ    カバー支柱
４        ＳＩＭホルダ
４ａ      ホルダ係合部
４ｂ      前係止部
４ｃ      後係止部
４１      底壁
４１ａ    位置決め突起
４１ｂ    位置決め突起
４１ｃ    （端子接続用）開口
４２ａ    突起
４２ｂ    突起
４３      側壁部
４７      弾性係止片
４７ａ    爪
４８      ストッパー
６        ＳＩＭカバー
６ａ      本体
６０      裏面（下面）
６０ａ    側縁部
６０ｂ    凹部（上壁）
６０ｃ    斜面部
６１ａ    弾性係止片
６１ｂ    凸部
６２      底壁（ガイド壁）
６３      側壁
６３ａ    つまみ部
６４      孔
６５      回動部
６５ａ    凸部
６６      操作部
６６ａ    凹凸
９        回路基板
９ａ      接続端子
９ｂ      コネクタ接続端子
９ｃ      ホルダ位置決め孔
９ｄ      ホルダ位置決め孔
【図１】
2004206632.tif 000003
【図２】
2004206632.tif 000004
【図３】
2004206632.tif 000005
【図４】
2004206632.tif 000006
【図５】
2004206632.tif 000007
【図６】
2004206632.tif 000008
【図７】
2004206632.tif 000009
【図８】
2004206632.tif 000010
【図９】
2004206632.tif 000011
【図１０】
2004206632.tif 000012
【図１１】
2004206632.tif 000013
【図１２】
2004206632.tif 000014
【図１３】
2004206632.tif 000015